(57)【要約】【課題】空気に含まれる揮発性有機化合物などの有機化合物をより効率良く除去可能な空気浄化技術を提供する。【解決手段】空気浄化装置Ｘは、植物１が植えられる土壌体２と、上記土壌体２を収容した栽培用容器と、上記栽培用容器の側壁部５ｂ又は底部５ａに連通し、上記土壌体２を介して外気を吸引して上記栽培用容器の外部に排気する吸気装置３と、上記土壌体２に添加する有機物を分解可能な好気性のバクテリア溶液４と、を備える。【選択図】        図１
2017006564.tif 000002
【特許請求の範囲】
【請求項１】
植物が植えられる土壌体と、
上記土壌体を収容した栽培用容器と、
上記栽培用容器の側壁部又は底部の少なくとも一方に連通し、空気を上記土壌体を介して吸引して上記栽培用容器の外部に排気する吸気装置と、
上記土壌体に添加される有機物を分解可能な好気性のバクテリアと、を備えることを特徴とする空気浄化装置。
【請求項２】
上記吸気装置は、上記栽培用容器の側壁部又は底部の少なくとも一方に形成された通気用の開口に連通する閉鎖空間と、上記閉鎖空間内の空気を排気する排気装置と、を備えることを特徴とする請求項１に記載した空気浄化装置。
【請求項３】
上記バクテリアを含むバクテリア溶液を収容可能な液体タンクと、
上記液体タンクの内部に連通し上記バクテリア溶液が浸透可能な布状体又は線状体の少なくとも一方からなる液供給体と、を備え、上記液供給体は、上記土壌体に埋入されることを特徴とする請求項１又は請求項２に記載した空気浄化装置。
【請求項４】
上記バクテリアは、バチルス・サブティリス、バチルス・リケニフォルミス、バチルス・メガテリウムの少なくとも一つを含むことを特徴とする請求項１〜請求項３のいずれか１項に記載した空気浄化装置。
【請求項５】
上記バクテリアは、シュードモナス菌、アシネトバクター・ベネティアヌス、アースロバクターｓｐの少なくとも一つを含むことを特徴とする請求項１〜請求項４のいずれか１項に記載した空気浄化装置。
【請求項６】
植物が植えられる土壌体を収容した栽培用容器を有し、上記土壌体に有機物を分解可能な好気性のバクテリアを添加しておいて、上記土壌体を介して空気を強制循環させることを特徴とする空気浄化方法。
【発明の詳細な説明】
【技術分野】
【０００１】
本発明は、空気中の汚染物質を浄化する空気浄化の技術に関する。
【背景技術】
【０００２】
有機溶媒を扱う工場内ではホルムアルデヒドなどの揮発性有機化合物（Volatile Organic Compounds）などが汚染物質として空気に含まれる。このような汚染物質を除去して空気を浄化する方法として、例えば観葉植物等の鉢植え植物を室内に設置する方法がある。この方法は、植物の葉や根などから汚染物質を吸収させるものである。しかし、この浄化方法は、葉に触れた汚染物質には対応可能ではあるが、大気中に浮遊する汚染物質を積極的に吸引して処理するものではなく、汚染物質除去の効率が低い。また植物が吸収できる汚染物質やその量も限られているという課題がある。
これに対し、特許文献１では、汚染物質を含む空気を浄化容器内に吸引し、吸引した汚染物質を水に溶解させて溶解水とし、その溶解水を、植物が植えられた土壌に供給することで、汚染物質を植物の根部から効率的に吸収させる従来技術が記載されている。
【先行技術文献】
【特許文献】
【０００３】
【特許文献１】特開２００２−７０９号公報
【発明の概要】
【発明が解決しようとする課題】
【０００４】
上記従来技術では、植物の根部からの汚染物質の吸収が効率的に行われる可能性はあるが、やはり植物の吸収能力に頼っているため、空気清浄に限度があるといった課題がある。また、ＶＯＣをそのまま直接植物に吸収させることは、植物への負担やダメージも大きい。
本発明は、そのような課題に着目したもので、空気に含まれる揮発性有機化合物などの有機化合物をより効率良く除去可能な空気浄化技術を提供することを目的としている。
【課題を解決するための手段】
【０００５】
課題を解決するために、本発明の一態様の空気浄化装置は、植物が植えられる土壌体と、上記土壌体を収容した栽培用容器と、上記栽培用容器の側壁部又は底部の少なくとも一方に連通し、上記土壌体を介して外気を吸引して上記栽培用容器の外部に排気する吸気装置と、上記土壌体に添加する有機物を分解可能な好気性のバクテリアと、を備えることを特徴とする。
【０００６】
また本発明の一態様である空気浄化方法は、植物が植えられる土壌体を収容した栽培用容器を有し、上記土壌体に有機物を分解可能な好気性のバクテリアを添加しておいて、上記土壌体を介して空気を強制循環させることを特徴とする。
上記のバクテリアは例えば従属性栄養細菌であり、バイオセイフティレベル１に属するバクテリアが好ましい。また好気性には、通気好気性も含まれる。
【発明の効果】
【０００７】
本発明の一態様によれば、積極的に周りの空気を土壌体に取り込んで、空気に含まれる汚染物質を土壌体に吸着・停止可能である。そして、土壌体に取り込まれた汚染物質はバクテリアに分解されて空気の浄化がなされる。またバクテリアによる分解で発生したアルコールなどの副産物は、主として植物の根から吸収されることでバクテリアによる汚染物質の分解低下を抑制する。また本発明の態様では、汚染物質の浄化に対する、植物への負担を軽減できる。
このように、大量の植物を設置しなくても、より効率よく周りの空気に含まれる汚染物質を分解することで、より効率良く汚染物質の除去が可能となる。即ち、より効率良く空気を浄化することが可能となる。
【図面の簡単な説明】
【０００８】
【図１】本発明に基づく第１実施形態に係る空気浄化装置を説明する部分断面図である。
【図２】容器の上面図である。
【図３】本発明に基づく第２実施形態に係る空気浄化装置を説明する部分断面図である。
【図４】別の例の空気浄化装置を説明する図である。
【発明を実施するための形態】
【０００９】
次に、本発明の実施形態について図面を参照しつつ説明する。
「第１実施形態」
本実施形態の空気浄化装置Ｘは、図１に示すように、植物１が植えられる土壌体２と、土壌体２を収容した栽培用容器である内側容器５と、内側容器５の側壁部又は底部に連通して、土壌体２を介して外気を吸引する吸気装置３と、土壌体２に取り込まれた有機物を分解可能な好気性のバクテリアと、を備える。本実施形態では、上記バクテリアを、バクテリア溶液４の状態で土壌体２に供給する場合を例に挙げて説明する。バクテリアを吸着させたポーラス体などのタブレット状の状態で当該バクテリアを土壌体２に添加しても良い。
その具体的構成について説明する。
【００１０】
（装置構成）
〈植木鉢〉
本実施形態の植物１を植える植木鉢７は、図１に示すように、内側容器５と外側容器６との二重構造となっている。本実施形態の植木鉢７は、図２に示すように、上面視円形若しくは楕円形の場合を例示しているが、植木鉢７の外観形状は、プランターなどの平面視が矩形形状など、他の形状であっても構わない。また、床に設置する植木鉢を想定して説明するが、吊り型の植木鉢であっても良い。
【００１１】
内側容器５は、植木鉢本体を構成し、内部に植物１が植えられる土壌体２が収容可能となっている。その内側容器５は、底部５ａと側壁部５ｂとを有する。側壁部５ｂの上端部全周には外向きフランジ５ｃが形成され、その外向きフランジ５ｃの外縁部は下方に折れ曲がった形状となっている。また、側壁部５ｂの下部位置には、通気用の開口５ｄが形成されている。この通気用の開口５ｄは水抜き用の開口にもなる。本実施形態の通気用の開口５ｄはスリット状の開口とする。内側容器５の底部５ａに水抜き用の開口があっても良い。符号８は水を受ける受皿である。受皿８は、必要に応じて設ければよい。
【００１２】
外側容器６は、内側容器５の外周に配置されて該内側容器５の周りを覆う。すなわち、外側容器６は、内側容器５の底部５ａと所定間隔を開けて対向する下面部６ａと、内側容器５の側壁部５ｂと所定間隔を開けて対向する側面部６ｂとを備える。また外側容器６の側面部６ｂの上端部には内向きフランジ６ｃが形成されている。
そして、内側容器５の外向きフランジ５ｃを、外側容器６における側面部６ｂの上端面に重ねることで、内側容器５と外側容器６との間の上端の開口が封じられた密封状の空間（以下、閉鎖空間Ｓと呼ぶ）が形成される。閉鎖空間Ｓは完全な密封状態の空間である必要はなく、閉鎖空間Ｓ内の空気を後述の排気装置で排気することで負圧になる空間になるだけの密封度を有していれば構わない。
【００１３】
ここで、外側容器６に必ずしも内向きフランジ６ｃを設けなくても良い。もっとも外側容器６に内向きフランジ６ｃを設けることが好ましい。内向きフランジ６ｃの内端部が内側容器５の側壁部５ｂに当接することで、内側容器５と外側容器６との間に確実に所定の隙間が確保されたり、排気装置などが内側容器５の側壁部５ｂにぶつかったりすることが回避可能となる。
外側容器６の側面部６ｂの上部に換気用の開口６ｄが形成されている。その換気用の開口６ｄは、閉鎖空間Ｓに対する排気位置となり、内側容器５に設けた通気用の開口５ｄの高さよりも高い位置となるように設計されている。
【００１４】
〈吸気装置３〉
吸気装置３は、外側容器６によって形成される上記の閉鎖空間Ｓと、排気装置９とを備える。吸気装置３は、土壌体２を介して外気を吸引して外部に排気することで空気を強制循環させるための装置である。本実施形態の排気装置９は排気用の換気扇から構成する。換気扇としては、公知の換気扇構造を採用すれば良い。換気扇からなる排気装置９は、例えば回転するプロペラからなるファンと、ファンを回転駆動するモータと、モータを駆動する電源部を備える。電源部は電源ケーブルのプラグ９ａをコンセントに接続することで、電力が供給されてモータがファンを回転駆動可能となっている。
【００１５】
すなわち排気装置９は、内側容器５と外側容器６の間に位置する閉鎖空間Ｓの空気を吸引して外部に排気する。閉鎖空間Ｓの空気を吸引することで、閉鎖空間Ｓが負圧となり、内側容器５に形成した通気用の開口５ｄを通じて、土壌体２の下側から土壌体２の空気が閉鎖空間Ｓに吸引されることになる。この結果、土壌体２の上面から空気が土壌体２内に吸引される。吸引された空気は、土壌体２内を下側に移動して、通気用の開口５ｄ及び閉鎖空間Ｓを通じて外部に排気される。閉鎖空間Ｓの負圧は、土壌体２内のバクテリアによる汚染物質の分解能力との兼ね合いによって設定すればよい。
ここで、排気装置９は、換気扇構造に限定されず、エアコンプレッサなどの吸排気装置を採用しても良い。ただし換気扇が簡易な構成で好ましい。
なお、排気装置９の排出口に可撓性の蛇腹状のダクト９ｂを設けて、清浄化した空気の排出方向を調整できるようにしても良い。
【００１６】
〈土壌体２〉
上記構成の植木鉢７の内側容器５内に土壌体２を収容し、その土壌体２内に植物１を植え込む。
土壌体２は、例えば土、石、セラミック、活性炭などからなり、植え込む植物１に応じた土壌を適宜採用すればよい。即ち、植物１に応じて公知の方法で土壌体２の構成を設定すればよい。
【００１７】
バクテリアや汚染物質を停止し易くするために、多孔質体（ポーラス体）を土壌体２に埋入することが好ましい。特に植物１の根の近傍や根よりも下側に配置することが好ましい。多孔質体は、例えば、活性炭や、多孔質状のセラミック、セメントブロックなどを採用すればよい。
土壌体２に植え込む植物１は、特に限定されないが、美観を考慮すると観葉植物が好ましい。
【００１８】
〈液体タンク〉
また内側容器５の側壁部５ｂの内側上記には、液体を収容可能な液体タンク１０が設置されている。液体タンク１０の少なくとも下部が土壌体２に接触若しくは埋入していることが好ましい。この液体タンクの下部には、１又は２以上の滲出用の開口１０ａが形成されていて、その開口１０ａから液体タンク１０内の液体（バクテリア溶液４）が液体タンク外部に存在する土壌体２に沁み出し可能となっている。
【００１９】
〈バクテリア溶液４〉
ここで、バクテリアとして従属性栄養細菌を使用した場合で例示する。
液体タンク１０には、従属性栄養細菌からなるバクテリアを水に溶かし込んだバクテリア溶液４が収容される。バクテリア溶液４には、植物１に対する栄養素が含まれていても良い。
【００２０】
「従属性栄養細菌」は、生存に必要な炭素を得るために有機化合物を利用する細菌であって、エネルギーの供給を他種の生物に依存する細菌である。つまり、バクテリア溶液４に含まれるバクテリアが従属性栄養細菌の場合は、揮発性有機化合物（ＶＯＣとも呼ぶ）などの有機物からなる汚染物質を分解することができる。バクテリアが汚染物質を分解する際に、副産物としてアルコール、酸、塩化物などの副産物も発生するが、その発生した副産物は、植物１が根から吸収することで、バクテリアによる分解の阻害物質が除去される。
【００２１】
従属性栄養細菌は、好気性細菌でも通性好気性細菌でもよい。「好気性細菌」とは、例えば、糖や脂質のような基質を酸化してエネルギーを得るために酸素を利用する細菌をいう。また、「通性好気性細菌」とは、発育する際に酸素があった方がよいが、酸素がなくても発育できる細菌をいう。つまり、バクテリア溶液４に含まれるバクテリアが好気性細菌と通性好気性細菌のいずれか一方であれば、酸素の存在量が多い環境下や酸素の存在量が少ない環境下であってもバクテリアは、土壌に取り込んだ有機化合物からなる汚染物質を、食物として効率よく消費する。本例の場合には、空気を取り込むことで土壌体２は酸素の存在量が多い環境となる。
【００２２】
また、従属性栄養細菌は、例えば、胞子型細菌であってもよい。「胞子型細菌」とは、代謝活性が少なく休眠状態をとり得るタイプの細菌をいう。つまり、バクテリア溶液４に含まれるバクテリアが胞子型細菌であれば、液体タンク１０内に存在する状態（未使用の状態）ではバクテリアは休眠状態となっているため、バクテリア溶液４を長期間保存することができる。使用するバクテリアは、室内での使用を考えた場合、安全性が一番高いバイオセイフティレベル１に属する安全菌を使用することが好ましい。
【００２３】
また、空気浄化装置Ｘを設置する室内の主な汚染物質の種類によって、使用するバクテリアを選択することが好ましい。
例えば、ＣとＨからなる炭化水素を構成要素とする汚染物質の清浄を主とした有機溶媒を扱うような工場内の空気清浄の場合、ＣとＨとＯからなる炭水化物、脂肪、それにＮが入ったタンパク質などを構成要素とする汚染物質の清浄を主としたアスレチックルームや病院などの場合などの空気浄化装置Ｘの使用環境に応じて、使用する主なバクテリアの種類を決定することが好ましい。
【００２４】
例えば、家畜場、アスレチックルーム、病院、高齢者養護施設などの室内の空気清浄を想定した場合、生活臭や加齢臭などの臭いの元が主な汚染物質となる。このような汚染物質は、ＣとＨとＯからなる炭水化物、脂肪、それにＮが入ったたんぱく質であるため、従属性栄養細菌で、胞子型細菌であるバクテリアを使用することが好ましい。
具体的には、これらのバクテリアとして、バチルス・サブティリス（Ｂａｃｉｌｌｕｓ  ｓｕｂｔｉｌｉｓ）、バチルス・リケニフォルミス（Ｂａｃｉｌｌｕｓ  ｌｉｃｈｅｎｉｆｏｒｍｉｓ）、バチルス・メガテリウム（Ｂａｃｉｌｌｕｓ  ｍｅｇａｔｅｒｉｕｍ）が例示できる。これらの少なくとも１種類のバクテリアを含むように、水に溶かし込むバクテリアを選定する。これらのバクテリアは、酸素の存在量が多い環境下や酸素の存在量が少ない環境下であってもバクテリアはタンパク質等の汚染物質を食物として確実に消費する。これらのバクテリアを、本明細書では、第１のバクテリアと呼ぶ。
【００２５】
なお、バチルス・サブティリスは、蛋白質分解酵素であるプロテアーゼ、澱粉や糖の分解酵素であるアミラーゼ、脂肪分解酵素であるリパーゼ等を出す細菌である。また、バチルス・リケニフォルミスは、蛋白質分解酵素であるプロテアーゼ等を出す細菌である。また、バチルス・メガテリウムは、澱粉や糖の分解酵素であるアミラーゼ、脂肪分解酵素であるリパーゼ等を出す細菌である。
【００２６】
また、有機溶媒を扱う工場などの室内においては、ＶＯＣが主に空気から除去する汚染物質となる。ＶＯＣとは、通常、揮発性有機化合物で、沸点が５０℃〜２６０℃の物質の総称である。ＶＯＣとは、水素（Ｈ）と炭素（Ｃ）からなる炭化水素（ＨＣ）で、ベンゼンＣ６Ｈ６やホルムアルデヒドＣＨ２０、トルエンＣ７Ｈ８（Ｃ６Ｈ５ＣＨ３）、キシレンＣ８Ｈ１０、酢酸エチルＣ４Ｈ８Ｏ２などであって、これらの有機化合物は大気中では気体状となっている。
【００２７】
このようなＶＯＣを分解する菌としては、ＶＯＣを栄養源として利用する従属性栄養細菌を利用すればよい。例えば、好気性菌である、シュードモナス菌、アシネトバクター・ペネティアヌス、アースロバクターspなどから選択して使用すればよい。これらのバクテリアを、本明細書では第２のバクテリアと呼ぶ。
ここで、室内に存在する汚染物質の状況に応じて、第１のバクテリアと第２のバクテリアを適宜混合した溶液を使用すれば良い。
【００２８】
そして、液体タンク１０に収容するバクテリア溶液４中に含まれる前記バクテリアの量は、例えば、１０５個／ｃｃ以上１０９個／ｃｃ以下の範囲内とする。そして、１ｍ３の土壌に対し１Ｌから５Ｌ程度のバクテリア溶液４を添加すると良い。
バクテリアの量が１０５個／ｃｃ未満であると、取り込んだ汚染物質がバクテリアによって十分に分解されないおそれがある。また、バクテリアの量が１０９個／ｃｃを超えると、汚染物質はバクテリアによって十分に分解されるが、必要量以上のバクテリアを用いるため、コスト高になる可能性がある。
【００２９】
〈液供給体〉
また、本実施形態の空気浄化装置Ｘは液供給体１１を備える。液供給体１１は、液体タンク１０内のバクテリア溶液４を土壌体２中に分散供給するために設けられる。
液供給体１１は、毛細管現象で液体が浸透可能な繊維質からなる布状体（メッシュ状も含む）又は線状体から構成する。本実施形態では、綿や麻などの繊維質からなる布帯により液供給体１１を構成する。その液供給体１１を広げた状態で土壌体２に埋入し、その液供給体１１の一端部を液体タンク１０の滲出用の開口１０ａに接続する。布帯からなる液供給体１１は、連続した状態が維持されていれば、適宜切り裂かれていても良い。また複数の布帯を液供給体１１として液体タンク１０内に連通させるようにしても良い。
これによって液体タンク１０内のバクテリア溶液４が、液供給体１１を通じて土壌体２に少しずつ分散供給されるようになる。
【００３０】
（動作その他）
上記構成の空気浄化装置Ｘでは、液体タンク１０内のバクテリア溶液４が、液供給体１１を構成する布帯を通じて少しずつ土壌体２に供給される。これによって、土壌体２に対し、バクテリアが供給されると共に水の供給が行われることになる。ここで、土壌体２に対し吸気を行うことは土壌体２の乾燥に繋がるが、上述のようにバクテリア溶液４によって水の供給が行われることになる。別途、水やりを行っても良い。
【００３１】
この状態で、排気装置９を駆動すると、土壌体２の上面から空気が吸引され、空気中の汚染物質が土壌体２に吸着されて取り込まれる。汚染物質の吸着・停止という観点からはポーラス体を土壌体２に含ませることが好ましい。これによって、空気中に浮遊している汚染物質が土壌体２内に捕獲され、土による吸着である土壌脱臭が行われる。土壌吸着は物理的吸着やイオン結合によって行われる。
【００３２】
そして、土壌体２内のバクテリアが、土壌体２に取り込まれた有機物からなる汚染物質を、食べることで低分子に分解する。
ここで、バクテリアによる分解は、「高分子→低分子→水＋二酸化炭素」のように行われる。
具体的には、炭化水素系や塩素系有機化合物などのＶＯＣが主な汚染物質の場合、ＶＯＣの炭化水素が、バクテリアにより、「アルコール→脂肪酸→水＋二酸化炭素」に分解される。また、炭化水素の水素Ｈが塩素ＣＬに替わった有機塩素系溶剤の場合は、バクテリアにより二酸化炭素・ギ酸・グリオキシル酸を含む多様な物質に分解されて、最終的に二酸化炭素、塩化物、水に分解される。
【００３３】
また、日常生活空間の臭いの元は、人や動物を含む生物から発生する汚染物質である。ここで生物は糖、たんぱく質、脂肪からなっており、基本は炭素（Ｃ）、水素（Ｈ）、酸素（Ｏ）の化合物で、これに（Ｎ）が加わるとたんぱく質になる。糖の代表的なグルコースは次のような経路で分解する。
Ｃ６Ｈ１２Ｏ６＋６Ｏ２→６Ｃ０２＋６Ｈ２０＋エネルギー
このように、土壌体２に取り込まれた汚染物質は、バクテリアによって分解されて、その分解によって発生した分解副産物は、植物１の根から吸収されることで、バクテリアの分解阻害を抑制する。本実施形態の場合、植物１がＶＯＣを直接吸収して除去する量が低減するので、植物１への負担が低減して、植物１が長持ちする。
【００３４】
以上のように、積極的に周りの空気を土壌体２内に取り込むことができ、取り込んだ空気中の揮発性有機化合物などの有機物を、好気性バクテリアによって分解させる。この分解による副産物は、主として植物１の根から吸収される。
これによって、大量の植物１を設置しなくても、周りの空気に存在する揮発性有機化合物等の有機物をより効率良く除去できる。即ち、より効率良く空気を浄化することが可能となる。
【００３５】
ここで、内側容器５として、通常の植木鉢を採用しても良い。この場合、液体タンク１０を別体とし、その液体タンク１０を内側容器５に収容した土壌体２に上側から差し込むことで、内側容器５内に液体タンク１０を設置しても良い。
また、土壌体２へのバクテリア溶液４の添加の方法は、液体タンク１０を必ずしも使用しなくても良い。例えば、土壌体２に対して上記のようなバクテリア溶液４を散布することでバクテリア溶液４を土壌体２に添加しても良い。
【００３６】
排気装置９の高さを通気用の開口５ｄと同じ高さに設定しても良いが、通気用の開口５ｄからは水も排出される可能性があるため、その排出される水を、排気装置９が空気と共に吸引して外部に排出するおそれがある。したがって、通気用の開口５ｄと排気装置９の吸気口とが対向しないように、周方向に互いにずらして配置することが好ましい。
また、上記構成では、内側容器５の側壁部５ｂ下部に通気用の開口５ｄを形成しているが、内側容器５の底部５ａに通気用の開口５ｄを形成しても良い。内側容器５内の底側には砂利などの目の粗い物体を入れて、通気用の開口５ｄから土がこぼれ落ちにくくすることが好ましい。
【００３７】
（効果）
本実施形態は次のような効果を奏する。
（１）植物１が植えられる土壌体２と、土壌体２を収容した栽培用容器と、栽培用容器の側壁部５ｂ又は底部５ａの少なくとも一方に連通し、土壌体２を介して外気を吸引して上記栽培用容器の外部に排気する吸気装置３と、土壌体２に添加する有機物を分解可能な好気性のバクテリアと、を備える。
【００３８】
このような構成によれば、積極的に周りの空気を土壌体２に取り込んで、空気に含まれる汚染物質を土壌体２に取り込み可能である。そして、土壌体２に取り込まれた汚染物質をバクテリアに分解させる。またバクテリアによる分解で発生したアルコールなどの副産物は、主として植物１の根から吸収されることで、バクテリアの分解能低減を抑えることが出来る。また、植物１への汚染物質に対する負荷が小さくなる。
【００３９】
（２）吸気装置３は、栽培用容器の側壁部５ｂ又は底部５ａの少なくとも一方に形成された通気用の開口５ｄを覆う閉鎖空間Ｓと、閉鎖空間Ｓ内の空気を排気する排気装置９と、を備える。
この構成によれば、土壌体２に確実に周りの空気を取り込むことが可能となる。
（３）栽培用容器の側壁の内側に配置されバクテリアを含むバクテリア溶液４を収容可能な液体タンク１０と、液体タンク１０の内部に連通しバクテリア溶液４が浸透可能な布状体又は線状体からなる液供給体１１と、を備える。液供給体１１は、上記土壌体２に埋設される。
この構成によれば、土壌体２に対しバクテリアを分散して供給可能となる。
【００４０】
（４）使用するバクテリアは、バチルス・サブティリス、バチルス・リケニフォルミス、バチルス・メガテリウムの少なくとも一つを含む。
この構成によれば、日常生活環境下で発生する生活臭や加齢臭等の臭い汚れの元を効率よく除去することが出来る。
（５）使用するバクテリアは、シュードモナス菌、アシネトバクター・ベネティアヌス、アースロバクターｓｐの少なくとも一つを含む。
この構成によれば、溶剤を扱う工場で発生するＶＯＣをより有効に除去することが出来る。
（６）通気用の開口５ｄよりも排気位置を高く設定する。
排気装置９が通気用の開口５ｄからの水を吸引することが防止される結果、排気装置９をウォータプルーフにする必要がない。また、空気浄化装置Ｘの周囲に水を吹き出すことも無い。
【００４１】
「第２実施形態」
次に、第２実施形態について図面を参照しつつ説明する。なお、上記第１実施形態と同様な構成には同一の符号を付して説明する。
（構成）
本第２実施形態では、内側容器５の下部に、吸気装置３を配置する場合の例である。
すなわち、第２実施形態の植木鉢７は、図３に示すように、栽培用容器を構成する植木鉢本体２０と、その植木鉢本体２０の下部に配置される支持台２１を備える。
【００４２】
〈植木鉢本体２０〉
植木鉢本体２０の構造は、基本的に第１実施形態の内側容器５と同じである。その植木鉢本体２０には、土壌体２が収容されると共に、液体タンク１０が設置されている。本実施形態の植木鉢本体２０は、側壁部５ｂの途中高さ位置に段差部２０ａが形成されている場合とする。
【００４３】
〈支持台２１〉
支持台２１は、内部に空洞を有する中空体である。その空洞が閉鎖空間Ｓを形成する。
支持台２１の中央部上部に、植木鉢本体２０の下部を嵌め込み閉じた空間を形成するための凹部２２を有する。凹部２２の底面部２２ａは植木鉢本体２０の底部５ａに対向する。凹部２２の深さは、植木鉢本体２０の通気用の開口５ｄを凹部内に収めるだけの深さとする。本実施形態では、凹部２２の上端部で植木鉢本体２０の段差部２０ａを下から受けることが可能となっている。これによって、植木鉢本体２０の側壁部下側と凹部２２との間に閉じた空間Ｓ１が形成される。
【００４４】
また凹部２２の側面部２２ｂには、スリット状の開口２２ｃが形成されている、そのスリット状の開口が支持台２１内部の閉鎖空間Ｓに連通することで、植木鉢本体２０下部の通気用の開口５ｄが、閉じた空間Ｓ１を介して、支持台２１内部の閉鎖空間Ｓに連通する。
ここで、上記説明では植木鉢本体２０に段差部２０ａが形成されている場合で説明しているが、これに限定されない。植木鉢本体２０が逆錐体形であれば、図４に示すように、閉じた空間Ｓ１は形成される。
【００４５】
また、支持台２１の凹部２２底面に植木鉢本体２０の底部５ａを載せて支持されるようにしても良い。この場合、凹部２２の上部と植木鉢本体２０の側壁部５ｂとの空間を閉じるリング状のパッキング部材を別途用意して、閉じた空間Ｓ１を形成しても良い。
【００４６】
〈吸気装置３〉
吸気装置３は、支持台２１と排気装置９とを備える。
排気装置９は、支持台２１内の空洞である閉鎖空間Ｓ内に配置され、その排気装置９に複数のダクト２３が連通し、ダクト２３の他端開口部が支持台２１の外部に開放されている。
その他の構成は、上記第１実施形態と同様である。
【００４７】
（動作その他）
本実施形態の空気浄化装置Ｘの動作は、第１実施形態と同様である。
すなわち、液体タンク１０内のバクテリア溶液４が、液供給体１１を構成する布帯を通じて少しずつ土壌体２に供給される。これによって、土壌体２にバクテリアが供給されると共に水の供給が行われることになる。
【００４８】
この状態で、排気装置９を駆動すると、土壌体２上面から空気が吸引され、空気中の汚染物質が土壌体２に吸着されて取り込まれる。すると、土壌体２内のバクテリアが、土壌体２に捕獲された汚染物質を食べることで分解する。このように、土壌体２に取り込まれた汚染物質は、バクテリアによって分解される。また、その分解によって発生した分解副産物は植物１が根から吸収されることで、バクテリアによる汚染物質の分解阻害を抑制する。
【００４９】
以上のように、積極的に周りの空気を土壌内に取り込むことができ、取り込んだ空気中の揮発性有機化合物などの有機物を、好気性バクテリアによって分解させる。この分解による副産物は、主として植物１の根から吸収される。
これによって、大量の植物１を設置しなくても、より効率よく周りの空気に存在する揮発性有機化合物をより効率良く除去できる。即ち、より効率良く空気を浄化することが可能となる。
本実施形態の基本的効果は、第１実施形態と同様である。
【符号の説明】
【００５０】
Ｘ     空気浄化装置
１     植物
２     土壌体
３     吸気装置
４     バクテリア溶液
５     内側容器
５ｄ    通気用の開口
６     外側容器
７     植木鉢
８      受皿
９     排気装置
１０   液体タンク
１１   液供給体
２０   植木鉢本体
２１   支持台
２２   凹部
Ｓ     閉鎖空間
Ｓ１   閉じた空間
【図１】
2017006564.tif 000003
【図２】
2017006564.tif 000004
【図３】
2017006564.tif 000005
【図４】
2017006564.tif 000006